(57)【要約】長距離電気通信システムを介して国際開始点から国内終了点への特別サービス呼び出しにおける不正を防ぐための方法および装置が記述されている。システムおよび方法において、国際呼び出しのためのスクリーニングデータベースが、統合されたサービスネットワーク（ＩＳＮ）プラットフォームに追加される。国際呼び出しのためのスクリーニングデータベースにおけるレコードは国コードによって入力され、遮断された終了地域へのフィールドを含む。国際呼び出しが行われると、国際開始点に対応するレコードは、国際呼び出しに対するスクリーニングデータベースから検索される。このレコードは、遮断された交換器フィールドに提示された終了地域が存在するかどうかを判定するために調査される。遮断された交換器フィールドに提示された終了地域が存在しなければ、呼び出し処理は続く。遮断された交換器フィールドに提示された終了地域が存在すると、遮断された交換器フィールドの終了地域が呼び出しの終了点に対して調査される。呼び出しの終了点が終了地域内であれば、呼び出しは遮断される。
2004530381.tif 000002
【特許請求の範囲】
【請求項１】
長距離電気通信システムを介して国際開始点から国内終了点への呼び出しにおける不正を防ぐための方法であって、
ａ）国際データベースにおいて少なくとも一つのレコードを維持するステップを含み、各レコードは国際開始点に関連し、各レコードはラベルを貼るためのラベルフィールドを有し、
ｂ）前記呼び出しの呼び出し処理の間国際データベースレコードにアクセスするステップを含み、前記呼び出しの国際開始点は前記国際データベースレコードに関連し、
ｃ）前記呼び出しに関するラベルが前記国際データベースレコードのラベルフィールドの一以上のラベルに合致するかどうかを判定するステップと、
ｄ）ステップ（ｃ）で合致すると判定されると、呼び出しを遮断するステップとを含む、方法。
【請求項２】
各国内終了点は位置番号を有し、各ラベルは、位置番号の一部に対応する各ラベルを有している、請求項１に記載の方法。
【請求項３】
位置番号は北米番号計画（ＮＡＮＰ）に割り当てられたＮＰＡ−ＮＸＸ−ＸＸＸＸの様式の番号に対応し、各ラベルはそのようなＮＡＮＰ番号の少なくとも左端の数字に対応する、請求項２に記載の方法。
【請求項４】
前記呼び出しに関連するラベルは、呼び出しの国内終了点のＮＡＮＰ番号の少なくとも左端の数字である、請求項３に記載の方法。
【請求項５】
呼び出しは特別なサービス呼び出しであって、ステップ（ｂ）、（ｃ）および（ｄ）は呼び出し処理プラットフォームで実行される、請求項１に記載の方法。
【請求項６】
不正制御システムによって少なくとも一つのレコードのラベルフィールドに一以上のラベルを貼るのは、前記少なくとも一つのレコードに関連する国際開始点から、前記一以上のラベルに関連する宛先点への呼び出しが、高い不正対収益比率を示すときであるステップをさらに含む、請求項１に記載の方法。
【請求項７】
長距離電気通信システムを介して国際開始点から国内終了点への呼び出しにおいて不正を防ぐための装置であって、
少なくとも一つのレコードを維持するための国際データベースを含み、各レコードは国際開始点に関連し、各レコードはラベルフィールドを有し、
国際データベースレコードが前記呼び出しの呼び出し処理の間にアクセスされるときに、前記呼び出しに関連するラベルが前記国際データベースレコードのラベルフィールドの一以上のラベルに合致するかを判定するための手段を含み、前記呼び出しの国際開始点は前記国際データベースレコードに関連し、
前記呼び出しに関連するラベルが、国際データベースレコードのラベルフィールドの一以上のラベルに合致すると判定されると、呼び出しを遮断するための手段を含む、装置。
【請求項８】
各国内終了点は位置番号を有し、各ラベルは、位置番号の一部に対応する、請求項７に記載の装置。
【請求項９】
位置番号は北米番号計画（ＮＡＮＰ）に割り当てられたＮＰＡ−ＮＸＸ−ＸＸＸＸの様式の番号に対応し、各ラベルはそのようなＮＡＮＰの番号の少なくとも左端の数字に対応する、請求項８に記載の装置。
【請求項１０】
前記呼び出しに関連するラベルは、呼び出しの国内終了点のＮＡＮＰの番号の少なくとも左端の数字である、請求項９に記載の装置。
【請求項１１】
呼び出し処理プラットフォームをさらに含み、前記プラットフォームは前記判定手段と前記遮断手段を含む、請求項７に記載の装置。
【請求項１２】
前記少なくとも一つのレコードに関連する国際開始点から、前記一以上のラベルに関連する宛先点への呼び出しが、高い不正対収益比率を示すときに、少なくとも一つのレコードのラベルフィールドに前記一以上のラベルを貼るために不正制御システムをさらに含む、請求項７に記載の装置。
【請求項１３】
長距離電気通信システムを介して国際開始点から国内終了点への特別なサービス呼び出しにおける不正を防ぐための方法であって、前記呼び出しは国際開始点に対応する国コードを有し、北米番号計画（ＮＡＮＰ）の様式のＮＰＡ−ＮＸＸ−ＸＸＸＸにおける位置番号は、国内終了点に対応し、
ａ）国際データベースから国コードに対して入力されたレコードを検索するステップと、
ｂ）少なくとも一つの遮断された番号が、検索された国コードレコードの遮断された交換器フィールドに記載されているかを判定するステップと、
ｃ）番号がステップ（ｂ）で記載されていることが判定されると、検索された国コードレコードの遮断された交換器フィールドに記載されている少なくとも一つの遮断された番号が、前記呼び出しの国内終了点に対応するＮＡＮＰ位置番号の最初の数字に合致するかを判定するステップと、
ｄ）ステップ（ｃ）で合致することが発見されれば、前記呼び出しを遮断するステップを含む、方法。
【請求項１４】
前記呼び出しは前記長距離電気通信システムの顧客アカウントに関連する請求番号を有し、方法はさらに、
請求番号データベースにおいて請求番号に対して入力されたレコードを検索するステップと、
検索された請求番号レコードが、請求番号は特別なサービス呼び出しを行うことから遮断されることを提示しているかを判定するステップと、
請求番号が特別なサービス呼び出しを行うことを許可されていないと判定される場合、前記呼び出しを遮断するステップを含む、請求項１３に記載の方法。
【請求項１５】
国コードレコードの遮断された交換器フィールドに一以上の遮断された番号を置くのは、前記国コードレコードに対応する国際開始点からの呼び出しが、疑いのある活動パターンを示すか、あるいは前記国際開始点から前記一以上の遮断された番号に対応する、一以上の国内宛先地域への呼び出しが、高い不正対収益比率を示すときであるステップをさらに含む、請求項１３に記載の方法。
【請求項１６】
長距離電気通信システムを介して国際開始点から国内終了点への特別なサービス呼び出しにおける不正を防ぐための装置であって、前記呼び出しは国際開始点に対応する国コードを有し、北米番号計画（ＮＡＮＰ）の様式のＮＰＡ−ＮＸＸ−ＸＸＸＸにおける位置番号は、国内終了点に対応し、
レコードを維持するための国際データベースを含み、各レコードは国コードに対して鍵を掛けられ、各レコードは遮断された交換器フィールドを有し、
前記呼び出しの呼び出し処理の間、国コードの国際データベースレコードを検索するための手段を含み、前記国コードは国際開始点に対応する国コードであって、
検索された国際データベースレコードの遮断された交換器フィールドに、少なくとも一つの遮断された番号があるかを判定するための第一手段と、
第一判定手段が少なくとも一つの遮断された番号が、検索された国際データベースレコードの遮断された交換器フィールドに記載されていると判定する場合、検索された国際データベースレコードの遮断された交換器フィールドに記載されている、少なくとも一つの遮断された番号が、前記呼び出しの国内終了点に対応するＮＡＮＰ位置番号の最初の数字に合致するかを判定するための第二手段と、
第二判定手段が合致すると判定すれば、前記呼び出しを遮断するための手段を含む、装置。
【請求項１７】
検索手段と、第一および第二の判定手段と、遮断手段とを有する呼び出し処理プラットフォームと、
呼び出し処理プラットフォームと国際データベースの間で通信するための手段をさらに含む、請求項１６に記載の装置。
【請求項１８】
国際データベースレコードの遮断された交換器フィールドに、一以上の遮断された番号を置くのは、前記国際データベースレコードに対応する国際開始点からの呼び出しが、疑いのある活動のパターンを示すか、あるいは前記国際データベースレコードに対応する前記国際開始点から、一以上の遮断された番号に対応する地域への呼び出しが、高い不正対収益比率を示すときである、不正制御システムをさらに含む、請求項１６に記載の装置。
【発明の詳細な説明】
【背景】
【０００１】
１．技術分野
この発明は電気通信システムにおける不正制御に一般に関し、特に、長距離電気通信ネットワークにおける国際開始点から国内終了点への呼び出しにおける不正を防ぐことに関する。
【０００２】
２．関連技術の説明
電気通信業界は顧客が自分の電話呼び出しに対して請求されるという方法において重要な変化を経験した。かつての単純な呼び出し開始者に対して請求する方法から、多くの方法が開発され、電気通信顧客に対する大きな柔軟性を許容する多くの方法が開発されてきた。家または事務所から離れて電話呼び出しを行うための優れた方法は電話に料金を課す電話呼び出しカードを使用することによって行われる。この方法は、国際的な目的地に自分の呼び出しカードを持参する、多国間を旅する旅行者を含むまでになっている。
【０００３】
呼び出しカード顧客は、自分のアカウントに請求される呼び出しを行うために公共施設を含む任意の電話設備を使用してもよい。国内呼び出しを行うときは、呼び出しカードを使用する呼び出しを行うプロセスは「８００」番号をダイアルし、音声によるプロンプトを待ち、それから電話キーパッド装置にアカウント番号および、個人識別番号（Personal Identification Number, ＰＩＮ）を入力する。「８００」（および今は「８８８」）番号電話呼び出しは「特別サービス」呼び出しと呼ばれる電話呼び出しの分類の一つの形式である。これらの特別のサービス呼び出しは、「７００」、「８００／８８８」および「９００」番号呼び出しを含むが、直接の長距離電話を超えた多くのサービスを提供するための最新の電気通信ネットワークを許容する。無料電話呼び出しを許容する、この特別のサービス呼び出し処理、呼び出しカード呼び出し、特別料金呼び出しなどを提供するのは長距離通信事業者である。「８００」番の代わりに、国際的な場所からダイアルすると、ダイアルしている特定の国へのアクセスコードが典型的に存在する。しかしながら、以下の手順はすべての特別なサービス呼び出しにおいて類似している。
【０００４】
呼び出しカード呼び出しの例に続いて、ひとたびアカウント番号およびＰＩＮが入力されると、呼び出しカード顧客は顧客がどの位置からダイアルをしようが、一以上の呼び出しを行うことができる。これらの呼び出しは顧客の呼び出しカードアカウントにその後請求される。呼び出しカードは、ホテルや電話ブースのようなある公共の施設から呼び出しを行うとき追加の不足料金を支払わなければならないのを避けるために使用されうる。
【０００５】
多くの新しい技術と同様に、呼び出しカードの使用の容易さおよび柔軟性が濫用を導き、その結果、新しいタイプの不正を結果として引き起こした。呼び出しカード不正は会社（および顧客）に毎年数百万ドルの費用を負担させている。現在のセキュリティ機構は、効果的ではあるが、フェイルセーフになっておらず、顧客および会社に対する保護機構はこれらの不正に関連した損失を抑制する改良を要求する。
【０００６】
盗まれた呼び出しカードや認証コードの仮想の地下産業が存在する。呼び出しカードおよび認証番号が無法者の手に渡る複数の方法についてはここで議論する必要はないが、犯罪心の巧妙さには限りがないとだけ言っておけば十分である。呼び出しカード不正のある例は、空港にあるような、公衆電話の「サーフィン」バンクの技術である。カードユーザがアカウント番号およびＰＩＮをキーインしたとき、正当なカードユーザの肩ごしに見ることによって犯人は「サーフ」を行う。それから犯人は、これらの番号を売るか、または、分配し、不正がはびこる結果となる。ある場合においては、一週間で十万ドルを超える単一のアカウントが請求を被りうる。呼び出しカード不正および不正使用の他の形態が電話通信業者、特に長距離通信業者に対して広範囲な問題を提示する。
【０００７】
不正制御のある方法は不正呼び出しが請求されたという疑いのある呼び出しカード番号を単に除去することである。不正呼び出しを認識するために、「請求番号」−呼び出しカード、プリペイド電話カードなどのような請求プロダクトおよびアカウント番号−は長時間に渡ってモニタされる。例えば、同じ請求番号を使用したある時間内に掛けられた国内電話の数がある閾値を超えると、警告が発生される。国際電話は時間間隔内でより少ない呼び出しが警告を発生するように低い閾値を有してもよい。加えて、閾値は不正呼び出しの高い割合が向けられる国に対してさらに調整されてもよい。
【０００８】
不正制御の別の方法は疑わしい活動にリンクした特定の起点を識別し、それらの特定の起点からのある呼び出しを遮断することである。例えば、中国に対する長時間の多数の呼び出しはマンハッタンの交換器から発生されてもよい。これは閾値警告を発生し、典型的に不正分析者に送られる。不正分析者は図１Ａに示されているように、不正制御コンソール１００に駐在する。不正分析者は警告を分析し、中国を呼び出す交換器を遮断するかどうかを判定するためにその交換器の警告および履歴を分析する。もし不正分析者が不正活動が存在すると判定したとき、彼はその交換器に対する遮断をセットする。この遮断によって、続く中国、または不正分析者が選択した他の国際宛先に対する、続く呼び出しを防ぐことができる。
【０００９】
しかしながら、この方法は国際的な場所で開始し、国内で終了する呼び出しに関しては役に立たない。上述の状況とは異なって、不正分析者は特性で国際開始点を分析し追跡する手段を有さない。例えば、呼び出しが図１Ａに示されているように、中国の電話１１１で開始し、ＩＸＣスイッチ１３１の長距離電気通信ネットワーク（あるいは相互交換通信会社ＩＸＣ）１３０に入ると、ＩＸＣネットワークがその呼び出しの開始について知っている唯一の情報は、その国のコード（ＣＣ）である。従って、不正分析者、あるいは閾値警告に対するプログラムモニタは、大量の不正なトラフィックを生成することを知られている電話交換器から、呼び出しが開始するかどうかを認識することができない。唯一理解していることは、呼び出しが中国で開始したということである。
【００１０】
この発明は国際的な特別サービス呼び出しのこのタイプに関し、特に国際的に開始し国内で終了する不正な特別サービス呼び出しを遮断する方法およびシステムに関する。そのような呼び出しによって引き起こされる脅威を十分に理解するために、不正な特別サービス呼び出しのこのタイプの例が、図１Ａ−１Ｃおよび２を参照して記述される。この例において、中国のハッカーは国内（米国）構内交換器（ＰＢＸ）１８０へ不正な呼び出しを行い、そこでハッカーは発信呼び出しを行うために発信音を盗む。もちろん、「８００」番呼び出しは、システムをハッキングする呼び出しでさえ無料であるので、ＰＢＸへ入るのに好ましい方法である。可能であれば、国際的なハッカーはＰＢＸに押し入るために国際的な「８００」番を使用する。発信呼び出しは、呼び出しの開始に関係なく、ＰＢＸの所有者に請求される。開始国際呼び出しと以下のＰＢＸ発信呼び出しの両方からの損失は、顧客のグッドウイル（goodwill）を保つために長距離電気通信会社によって典型的に負われている。
【００１１】
図１Ａから始めると、ハッカーは中国の電話１１１を使用して、ＩＸＣネットワーク１３０に到達するために適切なアクセスコードにダイアルする。呼び出しはＩＸＣスイッチ１３１を介して入り、ＩＸＣスイッチ１３２を介してブリッジスイッチ１３５へ経路制御される。ブリッジスイッチ１３５の目的はＩＸＣネットワークからの呼び出しを受信し、その呼び出しを自動呼び出し分配器（ＡＣＤ）１４０へブリッジし、最後にインテリジェントサービスネットワークプラットフォーム（ＩＳＮ）１５０に入れることである。特別なサービス呼び出しは特別な呼び出し処理を必要とするので、ＩＳＮプラットフォーム１５０のような呼び出し処理プラットフォームに典型的に経路制御される。ＩＸＣ内には多くのＩＳＮが存在するが、この発明の理解のためには、一つのＩＳＮで十分であろう。
【００１２】
ＩＳＮプラットフォーム１５０の模範的で単純化された図が、図２を参照してここで述べられる。ＡＣＤ１４０はアプリケーションプロセッサＡＰＰ１５６の直接の制御下にあり、ＡＰＰ１５６はＩＳＮ１５０内の呼び出しルーティング制御に対する中心点として機能する汎用コンピュータである。国際開始呼び出しがＡＣＤ１４０に到達すると、ＡＣＤ１４０は呼び出しがどのように処理されるべきかについての指示のために、ＡＰＰ１５６に要求を行う。そのような要求は、通常は呼び出しに関係する情報によって伴われるであろう。すなわち、呼び出し者の国コード（ＣＣ）、ＩＸＣシステムにアクセスするために使用されるアクセスコード、使用されている請求プロダクトのタイプ（呼び出しカード、コレクトコール、第三者呼び出しなど）、および呼び出しの宛先番号によって伴われる。ＡＰＰ１５６はアクセスコードによって、実行されるべき適切な手順を認識し、その結果、ＡＰＰ１５６はＡＣＤ１４０が呼び出しを適切なキュー(queue)に伝送するよう指示する。この場合、呼び出しは自動応答ユニット（ＡＲＵ）１５２の待ち行列に入れられることが仮定される。ＡＲＵ１５２は二つの要素を含む。一つは呼び出しを処理し、もう一つは音声応答システムに呼び出し者を促がすことである。呼び出し者に必要な最終宛先番号、呼び出しカード番号およびＰＩＮを尋ねるのは、ＡＲＵ１５２である。ライブのオペレータが要求されると、呼び出しはマニュアル電気通信オペレータコンソール（ＭＴＯＣ）１５４へ経路制御される。呼び出しがＡＲＵ１５２あるいはＭＴＯＣ１５４のいずれへ経路制御されても、同様の情報判定がなされなければならない。言い換えると、ＭＴＯＣ１５４のオペレータあるいはＡＲＵ１５２への自分の電話１１１での呼び出し者のどちらによって入力されるかに関わらず、呼び出しカードアカウント番号のような項目は入力されなければならない。
【００１３】
呼び出し処理の間に実行されるステップは、要約された形で後に記述される。呼び出し処理が完了し、呼び出しが許可され有効にされると、呼び出しはＡＣＤ１４０およびブリッジスイッチ１３５から、ＩＸＣネットワーク１３０の自動化されたスイッチングに解放される。呼び出しはそれから宛先番号によって経路制御され、北米番号計画（ＮＡＮＰ）において記述されるように、１−ＮＰＡ−ＮＸＸ−ＸＸＸＸの形を取る。ＮＰＡは番号計画エリア（Number Plan Area）を表し、地理的な番号地域を明確にする「エリアコード」としてよく参照される。ＮＸＸは終了交換器で、地理的地域内のスイッチを典型的に識別する。ＸＸＸＸは独自の局指定の明示である。ほとんどの呼び出しに対して、ＮＰＡはどのＬＥＣに呼び出しが送信されるべきかをも表す。図１Ｂで示されているように、呼び出しはＩＸＣスイッチ１３３を介して地域電話会社（ＬＥＣ）１６０に接続される。ＬＥＣは顧客に地域の送信サービスを提供する、地域電話操作会社（ＲＢＯＣ）のような地域の電話会社に属する。ＬＥＣ１６０はポイントオブプレゼンス（ＰＯＰ）スイッチ１６６を介してＩＸＣ１３０に接続される。ＬＥＣのルータはハッカーに入力される宛先番号によって提示されるように、呼び出しを国際呼び出しの終了点に転送する。この場合、呼び出しはＬＥＣスイッチ１６４および１６２を介して宛先ＰＢＸ１８０、つまり中国の電話１１１におけるハッカーの的へ経路制御される。
【００１４】
国際呼び出しが法人顧客のＰＢＸ１８０に到達すると、ハッカーは不在であることを知っている誰かの内線にダイアルする。呼び出しは応答がないので、音声メッセージシステム（ＶＭＳ）１８２へ転送される。この点で、ハッカーは例えば、自分の電話の「＊」および「Ｔ」ボタンを押すことで、呼び出し転送を要求する。いくつかのＰＢＸシステムにおいて、これはハッカーが＃記号(pound sign)によって続けられる内線番号を入力することを促がす、呼び出し転送特性を活性化する。ハッカーは到達を望む電話番号の最初の数字、そして最後には＃記号で続けられる主要なアクセスコードの数字を入力することで、応答する。ＰＢＸ１８０は、主要なアクセスコードの数字の開始に応答して、発信する主要線を選択し、最初の番号をダイアルする。ハッカーはひとたび主要線に接続されると、残りの番号をダイアルする。
【００１５】
図１Ｃにおいて、完了した電話呼び出しは、ＬＥＣ１２０を介して米国国内の電話１９０で終了するよう示されている。従って、呼び出しはＰＢＸ１８０の外へ出て、ＬＥＣ１６０を再び通って、ＩＸＣスイッチ１３３、１３４、１３６および１３７を介して、ＬＥＣ１２０のＰＯＰスイッチ１２５へと経路制御される。ひとたびＬＥＣ１２０に入ると、呼び出しはＬＥＣスイッチ１２４および１２２を介して宛先電話１９０へ経路制御される。図１Ｂに示されているように、接続を継続している間、ハッカーは図１Ｃに示されているようにＰＢＸ１８０を使用して、多数の呼び出し、典型的に長距離を行う。電話システムに関する限り、これらの長距離呼び出しはＰＢＸ１８０から発生し、電話１１１のハッカーからではない。それゆえ、請求レコードはＰＢＸ１８０の所有者がこれら一連の高額な長距離呼び出しを行っていることを提示する。「８００」番号をダイアルしてＰＢＸ１８０へ入りハッキングするほどハッカーが巧妙であれば、開始不正呼び出しでさえＰＢＸ所有者１８０に請求される。
【００１６】
ここで、単純化され模範的な呼び出し処理手順が、図２および３を参照して記述される。呼び出し処理に要求される多くのステップが、この発明の理解に不必要な記述から省略されている。特別サービス呼び出しが国際開始から国内宛先への呼び出しカード呼び出しであると仮定すると、呼び出し者はＩＸＣ１３０へアクセスするためのアクセス番号、自分のアカウント番号、ＰＩＮおよび終了自動番号識別子（ＡＮＩ）を入力する必要がある。このデータはすべて手順が始まる前に入力されることが仮定されるが、当業者が理解するであろうように、データのいくつかは手順の間にも同様に入力され得る。この例に続いて、ひとたび入力が完了されると、顧客アカウントと関連する請求番号が、ステップ３１０で請求された番号スクリーニング（ＢＮＳ）データベース１７０内で調べられる。ＢＮＳは請求番号によって入力されたレコードを含み、特定の請求番号に各種制限を提示するフラグを有する。ステップ３１５で、請求番号がフラグを有しているかが判定される。請求番号がフラグを有していると、呼び出しはＭＴＯＣ１５４、不正コンソール１００の不正分析者に経路変更されるか、あるいは単に切断されてもよい。請求番号がステップ３１５でフラグを有していないと、呼び出し処理は完了するために続く。
【００１７】
ＢＮＳ１７０を含む一連の最初のステップは、このアプリケーションの残りにとって第一の焦点である。このことを念頭において、国際的な特別サービス呼び出しを処理する間の他の目的に対してアクセスされる他のデータベースが存在するが、ここでは議論しない。これらのステップおよび他は、先行技術およびこの発明の理解のためには無関係であるとして省略する。
【００１８】
上述したように方法は、大量の不正呼び出しを生成すると認識されているような国際的な国々からなされる不正呼び出しを効率よく除去するには、的が狭すぎる。基本的に、不正であると認識された請求番号のみが、他国からＩＸＣネットワークへ入る呼び出しから遮断される。これは長距離会社にとっては不満足で効率的ではない。例えば、米国内には不正な呼び出しカードの完全な遮断を有する外国のハッカーによって、頻繁に的にされる国内の地域がある。ひとたび特定の請求番号が不正であると認識され遮断されると、ハッカーは次に進む。ＢＮＳ１７０によって提供される狭い遮断は、そのようなハッカーを撃破するにはほとんど役に立たない。
【００１９】
それゆえ、長距離電気通信システムを介して国際開始点から国内終了点への不正呼び出しを遮断する必要がある。さらに、呼び出しを遮断する方法は国内終了点への呼び出しを行う国際的なハッカーによって使用されている多重の請求番号の状況を許可しなければならない。
【００２０】
この発明の一つの目的は、不正活動を最小にするために長距離電気通信ネットワークにおいて、国際地域が終了宛先を発する呼び出しを遮断するときに、巧妙なハッカーを標的にするシステムおよび方法を提供することである。
【００２１】
この発明の他の目的は、不正活動を最小にするために、長距離電気通信ネットワークにおいて、国際的な国々が特定交換器を呼び出すことを遮断するためのシステムおよび方法を提供することである。
【００２２】
上のおよび他の目的を達成するために、長距離電気通信システムを介して国際的な特別サービス呼び出しで、国際開始点から国内終了点への不正を防ぐためのシステムおよび方法が開示されている。システムおよび方法において、国際呼び出しのためのスクリーニングデータベースが、ＩＳＮプラットフォーム１５０に追加される。国際呼び出しのためのスクリーニングデータベースにおけるレコードは、国コードによって入力され、遮断された交換器に対するフィールドを含む。国際呼び出しがなされると、国際開始点に対応するレコードは国際呼び出しのためのスクリーニングデータベースから検索される。このレコードは遮断された交換器フィールドに交換器が存在するかどうかを判定するために調査される。遮断された交換器フィールドに交換器が存在しなければ、呼び出し処理は続く。遮断された交換器フィールドに交換器が存在すれば、遮断された交換器フィールドの交換器は、呼び出しの終了交換器に対して調査される。合致すれば、呼び出しは遮断される。
【好ましい実施例の詳細な説明】
【００２３】
以下の説明において、用語「ネットワーク」はデータベース、トランクおよび電話線、ルータ、スイッチ、プロトコルおよび電気通信ネットワークを構成するために要求されるコンピュータの寄せ集めの簡単な記載である。
【００２４】
要するに、このシステムおよび方法の好ましい実施例は、特定の終了交換器が特定の開始国から遮断されることを許可する。特定の国は自国に関する国コード（ＣＣ）を有し、レコードは各ＣＣに対して維持される。好ましい実施例はＣＣを使用するが、州や市のようなより小さなユニットを提示するコードが使用され得る。これらＣＣレコードは国際呼び出しのためのスクリーニングデータベース（ＳＣＲＥＥＮＩＮＧ  ＩＮＴＥＲＮＡＴ’Ｌ）５６４で維持され、図５でＩＳＮプラットフォーム１５０に追加して示されている。ＳＣＲＥＥＮＩＮＧ  ＩＮＴＥＲＮＡＴ’Ｌ５６４は、他の実施例ではＩＳＮプラットフォーム１５０の外に位置され得るが、不正制御１００とＩＳＮプラットフォーム１５０の両方は、ある程度それにアクセスしなければならない。
【００２５】
国際呼び出しのためのスクリーニングデータベースにおけるＣＣレコードは、国コードによって入力され、請求プロダクト（呼び出しカード、コレクトコール、第三者呼び出しなど）の分類、呼び出しのタイプ、および遮断される交換器に関する情報を含む。特に、遮断された交換器フィールドはＳＣＲＥＥＮＩＮＧ  ＩＮＴＥＲＮＡＴ’Ｌ５６４データベースのレコードに追加され、そのフィールドに記載された任意の交換器は開始国からの呼び出しの受信を遮断される。言い換えると、特定の国あるいは国コードのレコードがＳＣＲＥＥＮＩＮＧ  ＩＮＴＥＲＮＡＴ’Ｌ５６４内を調べられると、呼び出しの終了交換器が遮断された交換器フィールド内に記載されているかをも判定される。もしそうであれば、呼び出しは遮断される。このシステムはまたＣＣレコード内の請求プロダクトを分解することによって、より大きな微細化を達成することができる。言い換えると、ＣＣ＝１４が英国であれば、ＣＣレコードは呼び出しカード対コレクトコールに対する異なった組の遮断された交換器を記載してもよい。さらに、「交換器」および「遮断された交換器フィールド」という用語がこの明細書のこれ以降で使用されるが、交換器（ＮＰＡ−ＮＸＸ）に追加して、交換器よりも広いエリア（例えばＮＰＡ−Ｎ）および小さなエリア（例えばＮＰＡ−ＮＸＸ−ＸＸＸ）の両方が遮断された交換器フィールドに置かれ得るということが理解されるべきである。
【００２６】
ＳＣＲＥＥＮＩＮＧ  ＩＮＴＥＲＮＡＴ’Ｌ５６４を使用することで、国全体が遮断され得るが、その国はシステム全体というよりはむしろ、特定の交換器へ行う呼び出しのみ遮断される。特定のエリアあるいは交換器に呼び出しを行うために、多数の呼び出しカードを使用する国際的なハッカーの場合、これは理想的である。ひとたびその終了交換器が適切なＣＣレコードに入力されると、ハッカーは使用している呼び出しカードに関係なく、遮断される。
【００２７】
好ましい実施例において、図５の不正制御コンソール１００は、どの交換器がどの国から遮断されるべきかを判定するためにネットワークトラフィックをモニタする。典型的に、不正制御コンソール１００は特定の国が特定の交換器を呼び出すことに関係して、不正対収益比率を維持する。ひとたびこの不正対収益比率がある閾値に到達すると、不正分析者によって配置されるかあるいは自動化プログラムの制御下の不正制御１００は、その終了交換器を遮断するかを判定する。そのように判定されると、終了交換器は開始国のＩＮＴＥＲＮＡＴ’Ｌ  ＳＣＲＥＥＮＩＮＧ５６４レコードの遮断された交換器フィールドに置かれる。さらに、不正制御コンソール１００は交換器の数字を「ワイルドカード」の性質に変えることで、より大きなあるいは小さなエリアを遮断する能力を有する。例えば、交換器５５５−４４４のみでなく５５５−４ＸＸ（ここで、Ｘは０から９までのどの数字にもなり得る）の全シリーズも特定の開始国からの不正対収益比率を超えると、「５５５−４＊＊」という用語はその国のＣＣレコードの遮断された交換器フィールドに置くことができ、「５５５−４」で開始する任意の交換器へのすべての呼び出しが遮断される。他方、ＡＮＩ５５５−４４４−１２３４のある特定の公衆電話のみが不正対収益比率の閾値を超えると、そのＡＮＩ、「５５５−４４４−１２３４」は開始国のＣＣレコードの遮断された交換器フィールドに置かれ得る。
【００２８】
この発明の好ましい実施例に従う模範的で単純化された国際的な特別サービス呼び出し処理の手順が、図４を参照して述べられる。ここで考慮される特別なサービス呼び出しはすべて国際開始を有する。上で述べたように、呼び出し処理のために要求される多くのステップが、この発明の好ましい実施例の理解に不必要であるとして、記述から省略されている。
【００２９】
上述と類似の方法において、顧客アカウントに関する請求番号はステップ４１０のＢＮＳ１７０内で調べられる。ステップ４１５で、請求プロダクトが不正に対してフラグを有しているかどうかが判定される。請求番号がフラグを有していると、呼び出しは経路を切換えられるか単に切断される。
【００３０】
請求番号がステップ４１５でフラグを有していなければ、開始国の国コードはステップ４２０のＳＣＲＥＥＮＩＮＧ  ＩＮＴＥＲＮＡＴ’Ｌ５６４データベース内で調べられる。ひとたび適切なＣＣレコードが検索されると、ステップ４２５でそのレコードの遮断された交換器フィールドに交換器が記載されているかが判定される。ステップ４２５で交換器が記載されていなければ、呼び出し処理は完了のために続く。ステップ４２５で交換器が記載されていれば、記載された交換器は、ステップ４３０で呼び出しの終了交換器と比較される。合致すれば、呼び出しは遮断される。ステップ４３０で合致しなければ、呼び出し処理は完了のために続く。
【００３１】
この発明がある好ましい実施例に関して述べられたが、発明はこの特定の実施例に限定されるものではなく、反対に、発明は添付のクレームによって規定される発明の精神および範囲内に入るすべての修正および均等物および代案をカバーすることが意図される。
【図面の簡単な説明】
【００３２】
上記および他の目的、局面および利点は以下の図面に例示されている好ましい実施例の以下の詳細な説明からよりよく理解される。図面において、同様の参照番号は同一または機能的に類似の要素を表す。
【図１Ａ】先行技術に従う、長距離電気通信システムにおける不正な国際的な特別サービス呼び出しの概要図である。
【図１Ｂ】先行技術に従う、長距離電気通信システムにおける不正な国際的な特別サービス呼び出しの概要図である。
【図１Ｃ】先行技術に従う、長距離電気通信システムにおける不正な国際的な特別サービス呼び出しの概要図である。
【図２】先行技術に従う、不正制御システムに関連する模範的で単純化された呼び出し処理プラットフォームの概要図である。
【図３】先行技術に従う、国際的な特別サービス呼び出し処理手順のフローチャートである。
【図４】このシステムおよび方法の好ましい実施例に従う、国際的な特別サービス呼び出し処理手順のフローチャートである。
【図５】この発明の好ましい実施例に従う、不正制御システムに関連する模範的で単純化された呼び出し処理プラットフォームの概要図である。
【図１Ａ】
2004530381.tif 000003
【図１Ｂ】
2004530381.tif 000004
【図１Ｃ】
2004530381.tif 000005
【図２】
2004530381.tif 000006
【図３】
2004530381.tif 000007
【図４】
2004530381.tif 000008
【図５】
2004530381.tif 000009
【国際公開パンフレット】
2004530381.tif 000010
2004530381.tif 000011
2004530381.tif 000012
2004530381.tif 000013
2004530381.tif 000014
2004530381.tif 000015
2004530381.tif 000016
2004530381.tif 000017
2004530381.tif 000018
2004530381.tif 000019
2004530381.tif 000020
2004530381.tif 000021
2004530381.tif 000022
2004530381.tif 000023
2004530381.tif 000024
2004530381.tif 000025
2004530381.tif 000026
2004530381.tif 000027
2004530381.tif 000028
2004530381.tif 000029
2004530381.tif 000030
2004530381.tif 000031
2004530381.tif 000032
2004530381.tif 000033
2004530381.tif 000034
2004530381.tif 000035
2004530381.tif 000036
2004530381.tif 000037
【国際調査報告】
2004530381.tif 000038